(57)【特許請求の範囲】
【請求項１】
作動油を貯蔵する油貯蔵室の側方に収納室を連設した箱体を備え、前記油貯蔵室及び前記収納室の上方を開口し、この上方開口を着脱自在な上板で閉塞し、前記収納室に電動機及び該電動機により回転駆動されて前記油貯蔵室の作動油を吸入吐出する油圧ポンプ及び該油圧ポンプからの作動油を制御してアクチュエータに供給したり該アクチュエータから排出される作動油を制御して前記油貯蔵室に戻す制御弁を収納し、前記電動機は略円柱状で外径寸法に対して軸方向寸法が長く、その軸方向端部に前記油圧ポンプを連結し、前記電動機の軸方向を前記箱体の底板と平行に配置すると共に、前記油圧ポンプの側方に前記油圧ポンプと前記底板上に並べて前記制御弁を配置し、また、前記制御弁に接続して作動油の脈流を減少させる油圧マフラーを、前記電動機の側方に、かつ前記底板上に並べて前記制御弁と同一側に配置し、更に、前記油圧ポンプと前記油貯蔵室とを吸入ホースを介して接続すると共に、前記制御弁と前記油貯蔵室とを戻りホースを介して接続し、かつ前記制御弁と前記油圧マフラーとを供給ホースを介して接続したことを特徴とする油圧ユニット。
【請求項２】
前記油貯蔵室側の内面を除く前記収納室の内面に吸音材を配設したことを特徴とする請求項１または請求項２に記載の油圧ユニット。
【発明の詳細な説明】
【０００１】
【発明の属する技術分野】
本発明は、油圧エレベータ等の駆動源として用いられる油圧ユニットに関し、特に住宅用の油圧エレベータに好適な油圧ユニットに関する。
【０００２】
【従来の技術】
従来より、特開平１０−７８００１号公報にあるように、上方が開口した長方形状の箱体を略垂直な仕切板で仕切り、一方を作動油を貯蔵する油貯蔵室とし、他方を電動機及び電動機により回転駆動されて油貯蔵室の作動油を吸入吐出する油圧ポンプを収納した収納室とした油圧ユニットが提案されている。この油圧ユニットでは、アクチュエータとの間での作動油の給排を制御する制御弁を油圧ポンプの上部の収納室内に収納すると共に、開口を着脱自在な上板により閉塞している。
【０００３】
【発明が解決しようとする課題】
しかしながら、こうした従来の油圧ユニットでは、収納室に収納した制御弁を油圧ポンプの垂直方向上部に配置しているため、油圧ユニット全体の高さ寸法が高く、油圧ユニットを設置するピットは油圧ユニットの高い高さ寸法に応じた深さのものが必要であった。
【０００４】
また、略円柱状で外径寸法に対して軸方向寸法が長い電動機及びその軸方向端部に連結した油圧ポンプの大きさに応じて収納室の上方開口の寸法が設定されているため、電動機の外径寸法に対応して若干大きく設定される上方開口の幅寸法が狭く、補修に伴う電動機の上方開口よりの出し入れが難しい。
【０００５】
本発明の課題は、高さ寸法を低減し、かつ収納室の上方開口を大きくして補修に伴う収納室への電動機の出し入れを容易にした油圧ユニットを提供することにある。
【０００６】
【課題を解決するための手段】
かかる課題を達成すべく、本発明は課題を解決するため次の手段を取った。即ち、
作動油を貯蔵する油貯蔵室の側方に収納室を連設した箱体を備え、前記油貯蔵室及び前記収納室の上方を開口し、この上方開口を着脱自在な上板で閉塞し、前記収納室に電動機及び該電動機により回転駆動されて前記油貯蔵室の作動油を吸入吐出する油圧ポンプ及び該油圧ポンプからの作動油を制御してアクチュエータに供給したり該アクチュエータから排出される作動油を制御して前記油貯蔵室に戻す制御弁を収納し、前記電動機は略円柱状で外径寸法に対して軸方向寸法が長く、その軸方向端部に前記油圧ポンプを連結し、前記電動機の軸方向を前記箱体の底板と平行に配置すると共に、前記油圧ポンプの側方に前記油圧ポンプと前記底板上に並べて前記制御弁を配置し、また、前記制御弁に接続して作動油の脈流を減少させる油圧マフラーを、前記電動機の側方に、かつ前記底板上に並べて前記制御弁と同一側に配置し、更に、前記油圧ポンプと前記油貯蔵室とを吸入ホースを介して接続すると共に、前記制御弁と前記油貯蔵室とを戻りホースを介して接続し、かつ前記制御弁と前記油圧マフラーとを供給ホースを介して接続したことを特徴とする油圧ユニットがそれである。
【０００７】
更に、前記油貯蔵室側の内面を除く前記収納室の内面に吸音材を配設した構成としてもよい。
【０００８】
【発明の実施の形態】
以下本発明の実施の形態を図面に基づいて詳細に説明する。
図１及び図２に示すように、１は箱体で、箱体１は底板１ａと底板１ａの四囲を囲む各側板１ｂ，１ｃ，１ｄ，１ｅとが密接に固着されて高さの低い立方体状に形成されると共に、上方に向かっては開口２が形成されている。また、箱体１は、底板１ａ及び各側板１ｃ，１ｅに密接に、かつ略垂直に固着された仕切板４により仕切られている。
【０００９】
仕切られた一方は、作動油が貯蔵される油貯蔵室６とされ、他方は収納室８とされている。箱体１の開口２は油貯蔵室６と収納室８とに応じて別々の上板１０，１２により閉塞されており、両上板１０，１２は箱体１に着脱自在に取り付けられている。収納室８内には、油貯蔵室６側の内面である仕切板４を除いて、底板１ａ、各側板１ｂ，１ｃ，１ｅ、上板１２の内面にそれぞれ吸音材１４ａ〜１４ｅが取り付けられている。
【００１０】
収納室８には、電動機１６及び油圧ポンプ１８が収納されており、電動機１６は略円柱状で外径寸法に対して軸方向寸法が長いものが用いられている。油圧ポンプ１８は電動機１６の軸方向端部に連結されている。本実施形態では、電動機１６のハウジングに油圧ポンプ１８のハウジングが固定されて連結されると共に、電動機１６の図示しない回転軸と油圧ポンプ１８の図示しない入力軸とがキー結合あるいはカップリング結合等されて、電動機１６により油圧ポンプ１８が回転駆動されるように構成されている。電動機１６は、電動機１６の軸方向が底板１ａと平行となるように、かつ仕切板４とも平行となるように配置されており、電動機１６は防振ゴム１９を介して箱体１の底板１ａに立設した略Ｌ字状の固定部４０ａ，４０ｂに固定されている。
【００１１】
油圧ポンプ１８の吸入側には吸入ホース２０の一端が接続されており、吸入ホース２０の他端は、油貯蔵室６内に設けられたストレーナ２２に仕切板４を介して接続されている。油圧ポンプ１８の吐出側には制御弁２４が接続されており、制御弁２４には供給ホース２６の一端が接続されている。供給ホース２６の他端は、作動油の脈流を減少させる油圧マフラー２８に接続されている。
【００１２】
制御弁２４は、電動機１６の軸方向と直交すると共に底板１ａに平行な水平方向に突出された配管２９を介して油圧ポンプ１８に固定され、油圧ポンプ１８の側方に油圧ポンプ１８と底板１ａ上に並べて収納室８に収納・配置されている。尚、制御弁２４は、配管２９を介して油圧ポンプ１８に固定されているため、底板１ａとの間に隙間を有する。
【００１３】
また、油圧マフラー２８は収納室８の一方の角で、電動機１６の側方で、かつ底板１ａ上に並べて制御弁２４と同一側に配置されており、油圧マフラー２８は台座部２８ａ底板１ａに立設した略Ｌ字状の固定部４０ａ，４０ｃに固定されている。これにより、電動機１６、油圧ポンプ１８、制御弁２４、油圧マフラー２８の各配置が矩形の範囲内にコンパクトに収まるようにされている。
【００１４】
油圧マフラー２８には、収納室８から側板１ｂを貫通して外部に突出された接続管３０が接続されており、接続管３０には図示しないアクチュエータが接続される。更に、制御弁２４に一端が接続された戻りホース３４の他端は、油貯蔵室６内に設けられ開口された戻り管３６に仕切板４を介して接続されている。尚、箱体１の外側底部には、一対の脚部３９ａ，３９ｂが形成されており、脚部３９ａ，３９ｂにより床面等に設置できるように構成されている。
【００１５】
本実施例では、前述した油圧ユニットＵは、図３に示すように、住宅用の油圧エレベータに用いられており、この油圧エレベータでは住宅の１階床面１ＦＬが掘り下げられて、浅いピット４０が形成されている。ピット４０には、その四隅に柱４２〜４５が立設されており、住宅の１階〜３階に対応して、開閉扉４６〜４８が設けられている。
【００１６】
また、４本の柱４２〜４５内には、エレベータルーム５０が昇降可能に設けられており、エレベータルーム５０は柱４２〜４５と平行に立設された単動シリンダ５２により昇降されるように構成されている。単動シリンダ５２は油圧ユニットＵの接続管３０に接続されており、油圧ユニットＵはピット４０内のエレベータルーム５０の下側に設置されている。
【００１７】
次に、前述した本実施例の油圧ユニットＵの作動について説明する。
まず、制御弁２４により油圧ポンプ１８の吐出側と供給ホース２６とが連通され、電動機１６が回転駆動されると、油圧ポンプ１８がストレーナ２２、吸入ホース２０を介して油貯蔵室６から作動油を吸入し、制御弁２４、供給ホース２６、油圧マフラー２８、接続管３０を介して単動シリンダ５２に高圧作動油を供給する。よって、単動シリンダ５２は伸長側に駆動されて、エレベータルーム５０を上昇させる。
【００１８】
また、エレベータルーム５０を下降させるときには、制御弁２４を切り換えて、供給ホース２６と戻りホース３４とを連通させる。よって、単動シリンダ５２から排出される作動油が、接続管３０、油圧マフラー２８、供給ホース２６、戻りホース３４、戻り管３６を介して油貯蔵室６に戻される。
【００１９】
前述したように、油圧ユニットＵは、収納室８に収納する電動機１６、油圧ポンプ１８、制御弁２４、油圧マフラー２８が底板４ａ上に並べられているので、油圧ユニットＵの高さが低く、設置するピット４０を浅くできる。また、油圧ユニットＵの保守・点検の際には、まず、エレベータルーム５０を２階以上に上昇させ、１階の開閉扉４６を開く。
【００２０】
そして、作業者がピット４０内に入り、油圧ユニットＵの上板１２を取り外し、保守・点検を行う。上板１２を取り外すと、収納室８の上方が開口するので、四囲が壁に囲まれたピット４０内であっても、開口２から工具を容易に挿入でき、保守・点検作業がしやすい。しかも、収納室８の開口２が大きいので、補修に伴う収納室８への電動機１６の出し入れを容易に行うことができる。
【００２１】
油圧マフラー２８を電動機１６の側方に制御弁２４と同一側に配置することにより、油圧マフラー２８を油貯蔵室６に収納する場合に比べて、油圧マフラー２８を収納室８の空き空間に配置でき、油貯蔵室６の容積を増加することなく、作動油貯蔵量を増加することができる。
【００２２】
更に、仕切板４を介して、油圧ポンプ１８や制御弁２４と油貯蔵室６とを接続しているので、箱体１の外側に多くの配管が飛び出すことがなく、設置が容易である。しかも、収納室８が密閉されることとなるので、収納室８への水の進入を防止でき、電動機１６や制御弁２４の電気系統が保護されると共に、吸音材１４ａ〜１４ｅを設けたので、電動機１６や油圧ポンプ１８の作動に伴い発生する騒音を遮弊することができ、騒音を低減できて静寂性を図ることができる。
【００２３】
油圧ユニットＵの組立時にも、収納室８の開口２が大きいので組込作業がしやすく、収納室８に電動機１６、油圧ポンプ１８、制御弁２４、油圧マフラー２８を収納した後、可撓性のあるホース２０，２６，３４で接続するので、配管作業も容易である。
【００２４】
以上本発明はこの様な実施形態に何等限定されるものではなく、本発明の要旨を逸脱しない範囲において種々なる態様で実施し得る。
【００２５】
【発明の効果】
以上詳述したように本発明の油圧ユニットは、その高さが低く、住宅用油圧エレベータの浅いピット内にも容易に設置でき、開口を大きく取れるのでピット内で油圧ユニットの保守・点検作業を容易に行うことができるという効果を奏する。
【００２６】
また、油圧マフラーを電動機の側方に制御弁と同一側に配置したので、油圧マフラーを油貯蔵室に収納する場合に比べて、油貯蔵室の容積を増加することなく、作動油貯蔵量を増加することができ、しかも、可撓性のあるホースで接続するので、配管作業も容易である。
【図面の簡単な説明】
【図１】本発明の一実施形態を示す油圧ユニットの側板を破断した平面図である。
【図２】図１のＡＡ断面図である。
【図３】本実施形態の油圧ユニットを用いた住宅用油圧エレベータの概略斜視図である。
【符号の説明】
１…箱体          １ａ…底板
１ｂ〜１ｅ…側板  ２…開口
４…仕切板        ６…油貯蔵室
８…収納室        １０，１２…上板
１６…電動機      １８…油圧ポンプ
２２…ストレーナ  ２４…制御弁
２８…油圧マフラー
４０…ピット      ５２…単動シリンダ
【図１】
0004160176.tif 000002
【図２】
0004160176.tif 000003
【図３】
0004160176.tif 000004